(57)【要約】【課題】本発明は、無線受信機の電池残量情報をユーザの手間を省いて確実に確認できるようにすることを目的とする。【解決手段】本発明の無線受信機は、基地局から無線信号を受信する無線受信機であって、ＲＦＩＤリーダと通信を行うＲＦＩＤタグを備え、前記ＲＦＩＤタグは、電池残量情報を含む電池情報を保持する記憶部を有し、前記ＲＦＩＤリーダに前記電池情報を送信することを特徴とする。【選択図】  図１
2014093685.tif 000002
【特許請求の範囲】
【請求項１】
基地局から無線信号を受信する無線受信機であって、
ＲＦＩＤリーダと通信を行うＲＦＩＤタグを備え、
前記ＲＦＩＤタグは、電池残量情報を含む電池情報を保持する記憶部を有し、前記ＲＦＩＤリーダに前記電池情報を送信することを特徴とする無線受信機。
【請求項２】
請求項１に記載の無線受信機であって、
無線受信機が電源断であっても、前記ＲＦＩＤリーダから前記ＲＦＩＤタグに電源供給することにより、前記ＲＦＩＤタグから前記ＲＦＩＤリーダに前記電池情報を送信することを特徴とする無線受信機。
【発明の詳細な説明】
【技術分野】
【０００１】
本発明は、無線通信システムに関し、特に無線受信機の電池残量情報取得に関するものである。
【背景技術】
【０００２】
無線受信機などの電池残量は画面に表示されるのが一般的である。
また従来から、無線通信装置が自身の電池残量を示す値を取得し、取得した電池残量に基づいて、メッセージを積極的に再送信する度合いを示す積極度を算出してメッセージに対して設定し、設定された積極度を含むメッセージを他の無線通信装置に対して送信する技術がある（例えば、特許文献１参照。）。
【先行技術文献】
【特許文献】
【０００３】
【特許文献１】特開２０１２−４９８０３号公報
【発明の概要】
【発明が解決しようとする課題】
【０００４】
ところで、車両に搭載される車載用の無線受信機（受令機）は充電池以外に、外部電源である車両のバッテリやＡＣアダプタからも電源供給を受けて稼働する。車両に搭載されている際は、車両のバッテリから電源供給を受けるのが一般的であり、車両からはずして設置する場合はＡＣ電源からＡＣアダプタを介して電源供給を受けるのが一般的である。
【０００５】
しかし、従来の無線受信機は外部電源から電源供給を受けている場合には、ユーザに誤解を与えてしまうので、充電池の電池残量を表示部に表示しない。
そのため、従来は無線受信機を外部電源に接続している際に充電池の残量を確認するためには、外部電源を取り外して無線受信機の画面に充電池の残量を表示させるか、充電池のみを取り外して電池残量チェッカー等で確認するといった作業を都度行わなければならず、手間がかかっていた。また、これらの作業を頻繁に行わないと、いざというときに充電池の残量がなく使用できないおそれも生じてしまう。
本発明は、無線受信機の電池残量情報をユーザの手間を省いて確実に確認できるようにすることを目的とする。
【課題を解決するための手段】
【０００６】
本発明の無線受信機は、基地局から無線信号を受信する無線受信機であって、  ＲＦＩＤリーダと通信を行うＲＦＩＤタグを備え、前記ＲＦＩＤタグは、電池残量情報を含む電池情報を保持する記憶部を有し、前記ＲＦＩＤリーダに前記電池情報を送信することを特徴とする。
【０００７】
また、本発明の無線受信機は、上述の無線受信機であって、無線受信機が電源断であっても、前記ＲＦＩＤリーダから前記ＲＦＩＤタグに電源供給することにより、前記ＲＦＩＤタグから前記ＲＦＩＤリーダライタに前記電池情報を送信することが好ましい。
【発明の効果】
【０００８】
本発明によれば、無線受信機の電池残量情報をＲＦＩＤリーダにより拡に実に且つ容易に取得でき、ユーザの手間を減らすことができる。
【図面の簡単な説明】
【０００９】
【図１】本発明の一実施例に係る無線通信システムの構成例を示す。
【図２】本発明の一実施例に係る無線受信機と他の機器との関係を説明するためのブロック図である。
【図３】本発明の一実施例に係る無線受信機の電池残量情報を取得処理の流れを説明するための図である。
【図４】本発明の一実施例に係る無線受信機から電池残量情報を外部機器に送信する流れを説明するための図である。
【図５】本発明の一実施例に係る無線受信機のメモリテーブルを説明するための図である。
【図６】本発明の一実施例に係る外部機器のメモリテーブルを説明するための図である。
【図７】本発明の他の一実施例を説明するための流れ図である。
【図８】本発明の他の一実施例に係る無線受信機のメモリテーブルを説明するための図である。
【発明を実施するための形態】
【００１０】
以下、本発明に係る一実施例について図面を参照して説明する。
図１は、本発明の一実施例に係る無線通信システムの構成例を示す。
図１において、無線通信システムは、消防・防災用デジタル無線網５００と、公衆系移動体通信網６００と、通信衛星７００と、ＧＰＳ（Ｇｌｏｂａｌ  Ｐｏｓｉｔｉｏｎｉｎｇ  Ｓｙｓｔｅｍ）衛星８００と、無線受信機１００と、業務用情報端末２００等で構成されている。
【００１１】
消防・防災用デジタル無線網５００の操作者１は、表示部５０４を見ながら操作部５０５を操作する。
表示部５０４と操作部５０５は管制室固定端末５０３と接続されている。管制室固定端末５０３は自営系通信回線網５１２と接続されていて、操作部５０５の操作指示情報等を各機器や各部に伝送する。
自営系通信回線網５１２は、公衆系移動体通信網６００の公衆系通信回線網６１２と有線で接続されている。
【００１２】
操作者１は、操作部５０５を介して業務用情報端末２００の備品管理ＩＤ（ＩＤｅｎｔｉｆｉｃａｔｉｏｎ）等の当該端末に関わる情報を入力する。
業務用情報端末運用管理サーバ５０９は、操作部５０５で入力された業務用情報端末２００の備品管理ＩＤ等の当該端末に関わる情報を備品管理情報ＤＢ（ＤａｔａＢａｓｅ）５１１に登録する。
【００１３】
操作者１は、操作部５０５を介して業務用情報端末２００毎に接続されている端末（子端末）について、備品管理ＩＤや製造番号等の子端末に関わる情報を入力する。
業務用情報端末運用管理サーバ５０９は、操作部５０５で入力された業務用情報端末２００毎に接続されている端末（子端末）の備品管理ＩＤや製造番号等の子端末に関わる情報を登録する。
【００１４】
操作者１は、操作部５０５を介して無線受信機１００や移動無線端末４００の備品管理ＩＤ等、当該端末に関わる情報を入力する。
業務用デジタル無線運用管理サーバ５０６は、操作部５０５で入力された無線受信機１００や移動無線端末４００の備品管理ＩＤ等、当該端末に関わる情報を、備品管理情報ＤＢ５１１に登録する。
【００１５】
操作者１は、操作部５０５を介して、各々の無線受信機１００や移動無線端末４００に接続されている情報端末（親端末）について、備品管理ＩＤや製造番号等の子端末に関わる情報を入力する。
業務用デジタル無線運用管理サーバ５０６は、各々の無線受信機１００や移動無線端末４００に接続されている情報端末（親端末）の備品管理ＩＤや製造番号等の子端末に関わる情報を、業務用無線端末運用管理情報ＤＢ５０７に登録する。
【００１６】
業務用情報端末運用管理情報ＤＢ５１０は、無線受信機１００や業務用情報端末２００等の運用管理情報が登録されている。
業務用無線端末運用管理情報ＤＢ５０７は、無線受信機１００等の運用管理情報が登録されている。
地図情報ＤＢ５０８は、地図情報が登録されている。
【００１７】
無線伝送装置（衛星系）５１４は、通信衛星７００を介して公衆系移動体通信網６００と通信を行う。
無線伝送装置（地上系）５１３は、直接、公衆系移動体通信網６００と通信を行う。
【００１８】
業務用無線向け制御局５０１−１〜５０１−Ｎは、業務用無線向け基地局５０２−１〜５０２−Ｎの制御を行う。
業務用無線向け基地局５０２−１〜５０２−Ｎは、無線受信機１００や業務用情報端末２００等と通信を行う。
【００１９】
公衆系移動体通信網６００について説明する。
無線伝送装置（衛星系）６１４は、通信衛星７００を介して消防・防災用デジタル無線網５００と通信を行う。
無線伝送装置（地上系）６１３は、直接、消防・防災用デジタル無線網５００と通信を行う。
【００２０】
通信インフラ監視サーバ６０９は、業務用情報端末２００等の障害履歴や位置登録履歴を障害履歴ＤＢ６１０や位置登録履歴ＤＢ６１１に登録する。
加入者情報照合サーバ６０５は、位置登録履歴ＤＢ６１１と、地図情報ＤＢ６０６と、位置情報履歴ＤＢ６０７と、加入者情報ＤＢ６０８から検索を行う。
【００２１】
公衆系通信回線網６１２は、無線伝送装置（地上系）６１３と、無線伝送装置（衛星系）６１４と、通信インフラ監視サーバ６０９と、加入者情報照合サーバ６０５と、移動関門交換機６０１と、消防・防災用デジタル無線網５００の自営系通信回線網５１２と接続されている。
【００２２】
移動関門交換機６０１は、公衆系デジタル無線制御局６０２と接続されている。
公衆系デジタル無線制御局６０２は、公衆系デジタル無線基地局６０３−１〜６０３−Ｎを制御している。
公衆系デジタル無線基地局６０３−１〜６０３−Ｎは、無線受信機１００や業務用情報端末２００等と電波信号２０１で通信を行う。
業務用情報端末２００は、ＧＰＳ衛星８００から送信される電波信号２０２の位置情報を受信する。なお、業務用情報端末２００は、例えばスマートフォンやタブレットＰＣなどの公衆回線を用いる端末であることが好ましい。
【００２３】
次に、図２を用いて説明する。
図２は、本発明の一実施例に係る無線受信機と他の機器との関係を説明するためのブロック図である。
無線受信機１００のＲＦＩＤ（Ｒａｄｉｏ  Ｆｒｅｑｕｅｎｃｙ  ＩＤｅｎｔｉｆｉｃａｔｉｏｎ）送受信部１１１は、業務用情報端末２００のＲＦＩＤ送受信部２１１と、ＲＦＩＤリーダライタ３００のＲＦＩＤ送受信部３０９と送受信を行う。
【００２４】
公衆系デジタル無線基地局６０３は、業務用情報端末２００の公衆系デジタル無線送受信部２１０と送受信を行う。
業務用無線向け基地局５０２は、無線受信機１００の自営系デジタル無線受信部１１０へ送信を行う。また、業務用無線向け基地局５０２は、移動無線端末４００の自営系デジタル無線送受信部４１０と通信を行う。
ＧＰＳ衛星８００は、業務用情報端末２００のＧＰＳモジュール２１６に位置情報を送信する。
【００２５】
無線受信機１００は、制御部１０１と、信号処理部１０２と、表示部１０３と、操作部１０４と、内蔵メモリ１０５と、充電池１０６と、電源制御部１０７と、有線Ｉ／Ｆ（ＩｎｔｅｒＦａｃｅ）回路部１０８と、スピーカ１０９と、自営系デジタル無線受信部１１０と、ＲＦＩＤ送受信部１１１と、デジタル無線運用管理情報記憶部１１２と、端末ステータス情報記憶部１１３等で構成されている。
制御モジュール１２０は、制御部１０１と信号処理部１０２の機能を一つにまとめたものである。
ＲＦＩＤ送受信部１１１と端末ステータス情報記憶部１１３とアンテナの機能を一つにまとめたものをＲＦＩＤタグと称する。
【００２６】
業務用情報端末２００は、制御部２０１と、信号処理部２０２と、表示部２０３と、操作部２０４と、内蔵メモリ２０５と、充電池２０６と、電源制御部２０７と、有線Ｉ／Ｆ回路部２０８と、スピーカ２０９と、公衆系デジタル無線送受信部２１０と、ＲＦＩＤ送受信部２１１と、デジタル通信契約者情報記憶部２１２と、端末ステータス情報記憶部２１３等で構成されている。
制御モジュール２２０は、制御部２０１と信号処理部２０２の機能を一つにまとめたものである。
業務用情報端末２００は、例えば、タブレットＰＣ（Ｐｅｒｓｏｎａｌ  Ｃｏｍｐｕｔｅｒ）、携帯電話、スマートフォン等である。
【００２７】
ＲＦＩＤリーダライタ３００は、制御部３０１と、信号処理部３０２と、表示部３０３と、操作部３０４と、内蔵メモリ３０５と、充電池３０６と、電源制御部３０７と、スピーカ３０８と、ＲＦＩＤ送受信部３０９と、機材管理記憶部３１０等で構成されている。
制御モジュール３２０は、制御部３０１と信号処理部３０２の機能を一つにまとめたものである。
【００２８】
移動無線端末４００は、制御部４０１と、信号処理部４０２と、表示部４０３と、操作部４０４と、内蔵メモリ４０５と、充電池４０６と、電源制御部４０７と、マイク４０８と、スピーカ４０９と、自営系デジタル無線送受信部４１０と、ＲＦＩＤ送受信部４１１と、デジタル無線運用管理情報記憶部４１２と、端末ステータス情報記憶部４１３等で構成されている。
制御モジュール４２０は、制御部４０１と信号処理部４０２の機能を一つにまとめたものである。
【００２９】
次に、無線受信機１００の電池残量情報を取得するための処理について図３を用いて説明する。
図３は、本発明の一実施例に係る無線受信機の電池残量情報を取得処理の流れを説明するための図である。
【００３０】
無線受信機１００の制御部１０１は、電源監視タイマが設定時間になったかを判定する（Ｓ３０１）。設定時間の一例として６０分や２４時間で、無線受信機１００の運用状態に応じて設定する。
Ｓ３０１の判定で、設定時間未満の場合（ＮＯ）はＳ３０１の処理に戻り、設定時間以上の場合（ＹＥＳ）は電源制御部１０７に対して電源ステータス情報を要求する（Ｓ３０２）。
【００３１】
電源制御部１０７は、充電池１０６の充電池残量を充電池１０６の電圧値と電流値（Ｓ３０４）に基づいて測定（Ｓ３０３）し、制御部１０１に対して電源ステータス情報を通知（Ｓ３０５）する。
電源ステータス情報は充電池残量や充電回数等の情報である。
【００３２】
制御部１０１は、端末ステータス情報記憶部１１３に対して電源ステータス情報と現在時刻の情報の書込みを指示する（Ｓ３０６）。
端末ステータス情報記憶部１１３は、内蔵のメモリテーブルに電源ステータス情報と現在時刻の情報を上書き保存（Ｓ３０７）し、制御部１０１に対して書込みの完了を通知（Ｓ３０８）する。
【００３３】
次に、制御部１０１は、消費している電力が外部電源かを判定（Ｓ３０９）し、外部電源ではない場合（ＮＯ）はＳ３０１処理に戻り、外部電源の場合（ＹＥＳ）はＳ３１０の処理に進む。
制御部１０１は、Ｓ３０３で測定した充電池残量が設定値未満かを判定（Ｓ３１０）し、充電池残量が設定値以上の場合（ＮＯ）はＳ３０１処理の前に戻り、充電池残量が設定値未満の場合（ＹＥＳ）は電源制御部１０７に対して受電の指示を出す（Ｓ３１１）。
充電池残量の設定値は、例えば５０％である。
【００３４】
電源制御部１０７は、充電池１０６に対して充電を開始する（Ｓ３１２）。
電源制御部１０７は、充電池１０６の充電池残量を充電池１０６の電圧値と電流値（Ｓ３１４）に基づいて測定（Ｓ３１３）する。
電源制御部１０７は、Ｓ３１３で測定した充電池残量が設定値以上かを判定（Ｓ３１５）し、充電池残量が設定値未満の場合（ＮＯ）はＳ３１３処理の前に戻り、充電池残量が設定値以上の場合（ＹＥＳ）は充電を終了（Ｓ３１６）すると共に制御部１０１に対して電源ステータス情報と充電終了通知を出す（Ｓ３１７）。
【００３５】
制御部１０１は、端末ステータス情報記憶部１１３に対して電源ステータス情報と現在時刻の情報と充電回数に＋１の書込みを指示する（Ｓ３１８）。
端末ステータス情報記憶部１１３は、内蔵のメモリテーブルに電源ステータス情報と現在時刻の情報と充電回数に＋１を上書き保存（Ｓ３１９）し、制御部１０１に対して書込みの完了を通知（Ｓ３２０）する。
【００３６】
端末ステータス情報記憶部１１３のメモリテーブルの一例が図５である。図５は本発明の一実施例に係る無線受信機のメモリテーブルを説明するための図である。
図５のメモリテーブルは、備品管理ＩＤと、端末（無線受信機１００）の製造番号と、更新日時と、充電池残量と、充電回数を記憶している。なお、場所情報を記憶しても良い。
【００３７】
次に、無線受信機１００から外部機器であるＲＦＩＤリーダライタ３００に電池残量情報を送信する処理について図４を用いて説明する。
図４は、本発明の一実施例に係る無線受信機から電池残量情報を外部機器に送信する流れを説明するための図である。
なお、ＲＦＩＤリーダライタ３００は、ＲＦＩＤ送受信部３０９から無線受信機１００のＲＦＩＤ送受信部１１２に電波を送信することにより、電力を供給することになる。このため、無線受信機１００が電源断でも、ＲＦＩＤリーダライタ３００は無線受信機１００の電池残量情報を取得することができる。
【００３８】
ＲＦＩＤリーダライタ３００の制御部３０１は、無線受信機１００の電源ステータス情報を要求（Ｓ４０１）するため、ＲＦＩＤ送受信部３０９に対して電源ステータスの情報を要求（Ｓ４０２）する。
ＲＦＩＤ送受信部３０９は、無線受信機１００のＲＦＩＤ送受信部１１１に対して電源ステータスの情報を要求（Ｓ４０３）する。
【００３９】
無線受信機１００のＲＦＩＤ送受信部１１１は、端末ステータス情報記憶部１１３に対して電源ステータスの情報を要求（Ｓ４０４）する。
端末ステータス情報記憶部１１３は、内蔵のメモリテーブルから電源ステータスの情報を読出し（Ｓ４０５）、ＲＦＩＤ送受信部１１１に対して電源ステータスの情報を通知（Ｓ４０６）する。
ＲＦＩＤ送受信部１１１は、ＲＦＩＤリーダライタ３００のＲＦＩＤ送受信部３０９に対して電源ステータスの情報を通知（Ｓ４０７）する。
【００４０】
ＲＦＩＤリーダライタ３００のＲＦＩＤ送受信部３０９は、制御部３０１に対して電源ステータスの情報を通知（Ｓ４０８）する。
制御部３０１は、機材管理情報記憶部３１０に対して無線受信機１００の電源ステータス情報の書込みを指示する（Ｓ４０９）。
機材管理情報記憶部３１０は、内蔵のメモリテーブルに無線受信機１００の電源ステータス情報と現在時刻の情報を上書き保存（Ｓ４１０）し、制御部３０１に対して書込みの完了を通知（Ｓ４１１）する。
【００４１】
機材管理情報記憶部３１０のメモリテーブルの一例が図６である。図６は本発明の一実施例に係る外部機器のメモリテーブルを説明するための図である。
図６のメモリテーブルは、備品管理ＩＤと、端末（無線受信機１００）の製造番号と、更新日時と、充電池残量と、充電回数を記憶している。なお、場所情報を記憶しても良い。
【００４２】
次に本発明の他の一実施例である無線受信機の盗難有無の判定に関し、図７を用いて説明する。
図７は、本発明の他の一実施例を説明するための流れ図である。
初期設定として、業務用情報端末２００の操作者は、業務用情報端末２００を介して無線受信機１００の聴取可能エリア情報をデジタル無線運用管理情報記憶部１１２のメモリテーブルに記憶させる。
【００４３】
制御部１０１は、図示していない現在地確認タイマの値を初期化する（Ｓ７０１）。
なお、現在地確認タイマの設定値は無線受信機１００の運用状態に応じて、例えば、６０分や６時間等に予め設定する。
【００４４】
制御部１０１は、現在地確認タイマの動作を開始させ、現在地確認タイマの値が設定値を超えたかを判定する（Ｓ７０２）。
制御部１０１は、Ｓ７０２の判定で設定値以下の場合（ＮＯ）、Ｓ７０２の処理に戻る。
制御部１０１は、Ｓ７０２の判定で設定値超の場合（ＹＥＳ）、親端末（業務用情報端末２００）のＩＤをキーにして現在地を確認（Ｓ７０３）のため、有線Ｉ／Ｆ回路部１０８に対して現在地情報の要求を出す（Ｓ７０４）。
【００４５】
有線Ｉ／Ｆ回路部１０８は、業務用情報端末２００に対して現在地情報の要求を出す（Ｓ７０５）。
業務用情報端末２００は、無線受信機１００の有線Ｉ／Ｆ回路部１０８に対して現在地情報を通知する（Ｓ７０６）。
【００４６】
有線Ｉ／Ｆ回路部１０８は、制御部１０１に対して現在地情報を通知する（Ｓ７０７）。
制御部１０１は、所定時間内に現在地情報が返信（通知）されたかを判定（Ｓ７０８）し、所定時間を超えた場合（ＮＯ）、Ｓ７１２の処理に進み、所定時間内の場合（ＹＥＳ）、デジタル無線運用管理情報記憶部１１２に対して聴取可能エリア情報を要求する（Ｓ７０９）。
ここで云う所定時間とは、例えば、６０秒等である。
【００４７】
デジタル無線運用管理情報記憶部１１２は、制御部１０１に対して聴取可能エリア情報を通知する（Ｓ７１０）。
制御部１０１は、聴取可能エリア情報に基づいて現在地が聴取可能範囲かを判定（Ｓ７１１）し、聴取可能範囲の場合（ＹＥＳ）、Ｓ７０１の処理に戻り、聴取可能範囲外の場合（ＮＯ）、Ｓ７１２の処理に進む。
【００４８】
制御部１０１は、Ｓ７１２の処理で動作を停止させる等の処理を行い、通話を傍受できないようにする。
【００４９】
デジタル無線運用管理情報記憶部１１２のメモリテーブルの一例が図８である。図８は本発明の他の一実施例に係る無線受信機のメモリテーブルを説明するための図である。
図８のメモリテーブルは、備品管理ＩＤと、端末（無線受信機１００）の製造番号と、更新日時と、親端末の数と、親端末ＩＤと、場所情報を記憶している。
【００５０】
本発明によれば、無線受信機の電池残量情報を外部機器で容易に取得できる。
また、無線受信機の電池の充電時期を容易に確認できる。
さらに、無線受信機が盗難された場合に動作を停止させ、不正傍受を防止することができる。
【００５１】
以上本発明について詳細に説明したが、本発明は、ここに記載された無線受信機に限定されるものではなく、上記以外の無線受信機に広く適用することができることは言うまでもない。
【符号の説明】
【００５２】
１００：無線受信機、２００：業務用情報端末、３００：ＲＦＩＤリーダライタ、４００：移動無線端末、１０１，３０１：制御部、１０２，３０２：信号処理部、１０３，３０３：表示部、１０４，３０４：操作部、１０５，３０５：内蔵メモリ、１０６，３０６：充電池、１０７，３０７：電源制御部、１０８：有線Ｉ／Ｆ回路部、１０９，３０８：スピーカ、１１０：自営系デジタル無線受信部、１１１，３０９：ＲＦＩＤ送受信部、１１２：デジタル無線運用管理情報記憶部、１１３：端末ステータス情報記憶部。
【図１】
2014093685.tif 000003
【図２】
2014093685.tif 000004
【図３】
2014093685.tif 000005
【図４】
2014093685.tif 000006
【図５】
2014093685.tif 000007
【図６】
2014093685.tif 000008
【図７】
2014093685.tif 000009
【図８】
2014093685.tif 000010